(57)【特許請求の範囲】
【請求項１】
プリンタ本体に付属するオートシードフィーダと、前記オートシードフィーダの両側に垂直面内で回動自在に支持された走行体と、前記プリンタ本体に対して固定的に設けられ前記プリンタ本体の一面から離反する直線方向に前記走行体を往復動自在に支持する支持体と、前記オートシードフィーダの前記支持体と対向する側面に回転自在に支持されたスプロケット又はギヤ等の回転輪と、この回転輪に正転及び逆転方向の回転力を付与する駆動手段と、前記プリンタ本体の一面から離反する直線方向に延出されて前記支持体に設けられ前記回転輪に噛合されたラック部と、前記回転輪が前記ラック部の前記プリンタ本体側の端部側の所定範囲内で噛合する動作期間内に限り前記回転輪を中心とする前記オートシードフィーダの回動運動を規制する規制ガイドとを具備するオートシードフィーダ支持装置。
【請求項２】
プリンタ本体に付属するオートシードフィーダと、前記プリンタ本体に対して固定的に設けられ前記オートシードフィーダの両側に対向配置された支持体と、前記オートシードフィーダの前記支持体と対向する側面に固定的に支持されたスプロケット又はギヤ等の回転輪と、円筒部の一部に切欠部が形成されて前記回転輪と同軸上で一体に回動可能な異形軸と、前記支持体に形成されて前記異形軸の回転運動を阻止した状態で前記オートシードフィーダを前記プリンタ本体の一面から離反する直線方向に移動可能なように前記異形軸を直線方向に摺動可能に支持する長孔部と前記プリンタ本体から離反する方向における前記長孔部の後端から拡開されて前記異形軸の回動運動を許容する拡開円孔部とを有するガイド溝と、前記支持体の前記ガイド溝に沿う直線方向に往復動自在に設けられて前記回転輪に噛合されたラック状の可動部材と、前記可動部材に直線方向の駆動力を付与する駆動手段とを具備するオートシードフィーダ支持装置。
【発明の詳細な説明】
【０００１】
【発明の属する技術分野】
本発明は、プリンタ本体に付属するオートシードフィーダを可動可能に支軸するためのオートシードフィーダ支持装置に関する。
【０００２】
【従来の技術】
従来、構造体にその構造体に付属するユニットを取り付けるには、ネジやボルト等の止着部材により固定的に取り付ける方法と、可変自在に取り付ける方法とがある。両方ともそれぞれ利点があるが、後者の方法は、メンテナンス等何らかの理由で頻繁に着脱する必要がある場合に有利である。この構造体とユニットとの関係は、例えば、印字装置(構造体）とオートシートフィーダ(ユニット）との関係である。
【０００３】
【発明が解決しようとする課題】
構造体にユニットを変位可能に取り付けるようにした従来の構造において、ユニットの変位方向は殆ど一方向である。これにより、ユニットを変位させるために広い空間を確保しなければならない。
【０００４】
【課題を解決するための手段】
請求項１記載の発明は、プリンタ本体に付属するオートシードフィーダと、前記オートシードフィーダの両側に垂直面内で回動自在に支持された走行体と、前記プリンタ本体に対して固定的に設けられ前記プリンタ本体の一面から離反する直線方向に前記走行体を往復動自在に支持する支持体と、前記オートシードフィーダの前記支持体と対向する側面に回転自在に支持されたスプロケット又はギヤ等の回転輪と、この回転輪に正転及び逆転方向の回転力を付与する駆動手段と、前記プリンタ本体の一面から離反する直線方向に延出されて前記支持体に設けられ前記回転輪に噛合されたラック部と、前記回転輪が前記ラック部の前記構造体側の端部側の所定範囲内で噛合する動作期間内に限り前記回転輪を中心とする前記オートシードフィーダの回動運動を規制する規制ガイドとを具備する。
【０００５】
したがって、回転輪は回転によってラック部上を転動するため、回転輪を一方向に回転させると、オートシードフィーダはプリンタ本体の一面から直線方向に離反する離反位置に変位する。この変位の過程で、回転輪がラック部のプリンタ本体側の端部側の所定範囲内で噛合する動作期間を過ぎると、オートシードフィーダは規制ガイドから解放されるため回転輪を中心とする回動運動が許容される。
【０００６】
回転輪を他方向に回転させると、オートシードフィーダはプリンタ本体に向けて変位するが、この変位の過程で規制ガイドに拘束されるまでの間では回転輪を中心とするオートシードフィーダの逆方向への回動運動が許容されるため、オートシードフィーダがプリンタ本体の一面に復帰した状態では、オートシードフィーダは規制ガイドにより回動方向の動きが規制されて定位置で固定される。
【０００７】
請求項２記載の発明は、プリンタ本体に付属するオートシードフィーダと、前記プリンタ本体に対して固定的に設けられ前記オートシードフィーダの両側に対向配置された支持体と、前記オートシードフィーダの前記支持体と対向する側面に固定的に支持されたスプロケット又はギヤ等の回転輪と、円筒部の一部に切欠部が形成されて前記回転輪と同軸上で一体に回動可能な異形軸と、前記支持体に形成されて前記異形軸の回転運動を阻止した状態で前記オートシードフィーダを前記プリンタ本体の一面から離反する直線方向に移動可能なように前記異形軸を直線方向に摺動可能に支持する長孔部と前記プリンタ本体から離反する方向における前記長孔部の後端から拡開されて前記異形軸の回動運動を許容する拡開円孔部とを有するガイド溝と、前記支持体の前記ガイド溝に沿う直線方向に往復動自在に設けられて前記回転輪に噛合されたラック状の可動部材と、前記可動部材に直線方向の駆動力を付与する駆動手段とを具備する。
【０００８】
したがって、可動部材を一方向に駆動する駆動力は回転輪に作用する。このときに、異形軸がガイド溝の長孔部に回り止めされている期間では回転輪も回転運動が阻止されるため、オートシードフィーダが異形軸及び回転輪とともにプリンタ本体の一面から直線方向に離反する離反位置に変位する。この変位の過程で異形軸がガイド溝の拡開円孔部に達すると、オートシードフィーダを異形軸及び回転輪とともに一方向に回動させることが可能となる。
【０００９】
可動部材他方向に駆動すると、オートシードフィーダが異形軸及び回転輪とともに他方向に回動する。このときの異形軸の回動により切欠部の向きが長孔部の面に一致すると、可動部材から回転輪に作用する力により異形軸が長孔により回転運動を阻止されて移動するため、オートシードフィーダが異形軸及び回転輪とともにプリンタ本体の一面に向かう直線方向に変位する。
【００１０】
【発明の実施の形態】
請求項１記載の発明の一実施の形態を図１ないし図５に基づいて説明する。まず、構造体としての印字装置及びユニットとしてのオートシートフィーダの概略構成を図１に示す。この印字装置Ｐの筐体１には印字部２が設けられている。この印字部２はキャリア（図示せず）に搭載されたドットプリンタヘッド３と、このドットプリンタヘッド３に対向する平型のプラテン４とにより形成されている。ドットプリンタヘッド３が搭載されたキャリアはキャリアシャフト（図示せず）により移動自在に支持され、図示しない駆動部により往復駆動されるように構成されている。
【００１１】
また、筐体１の前面には表示器（ＬＣＤ）５が設けられ、その下方にはキーボード６が設けられている。さらに、筐体１の内部には、キーボード６の近傍に形成された手差口７から印字部２に至る用紙搬送路８と、筐体１の後面に形成された給紙口９，１０を用紙搬送路８に接続する用紙搬送路１１とが形成されている。用紙搬送路８には対をなす複数組の搬送ローラ１２が配列され、印字部２の上部には印字済みの用紙を排紙受け１３に向けて排紙する排紙ローラ１４が配列されている。もう一つの用紙搬送路１１には、給紙口９から給紙される単票Ｓ、或いは給紙口１０から給紙される連続紙を印字部２に向けて搬送する搬送ローラ１５が設けられている。
【００１２】
さらに、筐体１の後部両側には支持体１６が相対向して固定的に設けられ、これらの支持体１６には、連続紙を給紙口１０に向けて給紙するトラクタ１７、単票Ｓを給紙口９に向けて給紙するオートシートフィーダ１８が支持されている。
【００１３】
オートシートフィーダ１８は、本体ケース１９の内部に、スプリング２０により上方に付勢された底板２１と、この底板２１に載置された単票Ｓを一枚ずつ給紙する給紙ローラ２２と、この給紙ローラ２２により給紙された単票Ｓの重送を防止する分離ローラ２３と、これらの給紙ローラ２２及び分離ローラ２３を駆動するモータ（図示せず）とを具備する。なお、印字装置Ｐは、トラクタ１７による連続紙の給紙、オートシートフィーダ１８による単票Ｓの給紙、手差口７からの種々の用紙の給紙を選択することができる。
【００１４】
ここで、図２ないし図５に基づいて、オートシートフィーダ１８を印字装置Ｐの背面側の一面に近接する位置(以下、実施の形態では給紙位置と称する）からトラクタ１７（図１参照）の上面を開放する離反位置(以下、実施の形態では後方位置と称する）に向けて後退自在に支持する支持手段２４の構成について説明する。図２ないし図４における１６ａは、相対向する支持体１６を連結する連結部材である。
【００１５】
オートシートフィーダ１８の本体ケース１９の両側には給紙方向と直交する通しシャフト２５が軸受片２６を介して回転自在に支持され、この通しシャフト２５の両端は走行板２７に設けたブッシュ２８に回転自在に支持されている。走行板２７には支持体１６を上下方向で挾持する複数のガイドローラ２９が回転自在に設けられている。すなわち、オートシートフィーダ１８は、通しシャフト２５とガイドローラ２９と走行体としての走行板２７とを介して支持体１６に摺動自在に支持されている。さらに、通しシャフト２５の両端部には回転輪であるスプロケットホイール３０が固定的に嵌合され、このスプロケットホイール３０に噛合されたラック部３１が支持体１６に一体に形成されている。なお、回転輪としてスプロケットホイール３０を用いた場合、ラック部３１の複数の歯は断面が円形の突起により形成することがスプロケットホイール３０を円滑に回転させる上で望ましい。回転輪としてギヤを用いた場合には、台形状の歯を有するラックをラック部として用いる。
【００１６】
図５に示すように、左右の走行板２７のうちの一方には、駆動手段としての正逆回転自在のモータ３２が固定され、このモータ３２の回転軸３３は前述したブッシュ２８の内方において通しシャフト２５の一端に回転方向には回り止めされた状態で連結されている。
【００１７】
したがって、モータ３２によりスプロケットホイール３０を回転させるとスプロケットホイール３０がラック部３１上を転動するので、オートシートフィーダ１８は直線方向に移動する。図２ないし図４において、スプロケットホイール３０を時計方向に回転させた場合は、オートシートフィーダ１８は図２に示す給紙位置から後方に直線的に移動する。そして、オートシートフィーダ１８の本体ケース１９の両側にはローラ３４が回転自在に設けられ、これらのローラ３４に係合する規制ガイド３５が支持体１６に固定的に設けられている。これらの規制ガイド３５は、オートシートフィーダ１８を給紙位置から後方位置への後退期間の前期間ではオートシートフィーダ１８の直線方向の動きのみを許容し、後期間では通しシャフト２５を支点とするオートシートフィーダ１８のその前端が持ち上がる方向の回動運動を許容するように、Ｕ字形の形状に規制されている。さらに、規制ガイド３５は、その底部にローラ３４が係合した状態を検出するセンサ（図示せず）が内臓されている。
【００１８】
さらに、図５に示すように、オートシートフィーダ１８の本体ケース１９の下部中央にはフック状の部材３６が固定され、モータ３２に駆動される通しシャフト２５の一方向の回転をフック部材３６に伝達するスプリングクラッチ３７が設けられている。
【００１９】
このような構成において、オペレータが印字装置Ｐのキーボード６側に位置してトラクタ１７に連続紙を補給する場合には、印字装置Ｐの筐体１越しにトラクタ１７を見ることになるが、トラクタ１７の上方空間がオートシートフィーダ１８により覆われているので見にくい。しかし、本実施の形態では、オートシートフィーダ１８が給紙位置に位置する図２の状態から、モータ３２によりスプロケットホイール３０及び通しシャフト２５を時計方向に回転させると、スプロケットホイール３０がラック部３１上を転動し、オートシートフィーダ１８が後方上部（図２ないし図４における紙面上で右上方向）に直線的に移動し始める。このとき、通しシャフト２５の時計方向の回転力がスプリングクラッチ３７を介してフック部材３６に作用するが、オートシートフィーダ１８が後方に向けて退避する退避期間の前期間では、ローラ３４が規制ガイド３５に係合しているため、通しシャフト２５を支点とするオートシートフィーダ１８の回動運動が阻止される。
【００２０】
図３に示すように、ローラ３４が規制ガイド３５の拘束状態から開放されたとき以降（オートシートフィーダ１８の退避期間の後期間）では、オートシートフィーダ１８はスプロケットホイール３０の回転により後方位置に移動するとともにスプロケットホイール３０及び通しシャフト２５を支点として、図４に示すように前端側（図１に示す印字装置Ｐ側）が上方に向かう方向に回動する。
【００２１】
以上のように、トラクタ１７に連続紙を補給する場合には、オートシートフィーダ１８を給紙位置から後方位置に後退させてトラクタ１７の上方空間を開放することができるため、印字装置Ｐの前面側からのトラクタ１７の見通しをよくすることができる。これにより、連続紙の補給を容易に行うことができる。
【００２２】
この場合、オートシートフィーダ１８を印字装置Ｐ側となる前端側が上部に向かうように回動させることができるので、オートシートフィーダ１８の後方への移動距離を長くしなくてもトラクタ１７の上方空間を広く開放することができる。したがって、奥方向への設置スペースを短縮することができる。また、奥方向へのスペースを広げる必要がない分だけ、キーボード６の手前側にオペレータの腕を置くスペースを確保することができる。
【００２３】
さらに、図１に示すように、オートシートフィーダ１８が給紙位置に位置する状態では、前端部が印字装置Ｐの筐体１の内部に入り込んでいるが、オートシートフィーダ１８を給紙位置から後方位置に向けて直線方向に移動自在に支持するとともに、給紙位置から後方位置に向けて一定距離離れた任意位置で印字装置Ｐ側の前端側が上方に向けて回動させることができるため、オートシートフィーダ１８を印字装置Ｐに干渉させることなく回動させてトラクタ１７の上方空間を開放することができる。これにより、筐体１の後面にオートシートフィーダ１８との干渉を避けるための凹状の逃げを形成する必要がない。これにより、筐体１の後面のデザインを損なうことがない。
【００２４】
図４に示す状態でトラクタ１７に連続紙を補給した後、モータ３２によりスプロケットホイール３０及び通しシャフト２５を反時計方向に回転させると、スプロケットホイール３０がラック部３１上を転動するため、オートシートフィーダ１８が給紙位置に向けて復帰する。この復帰過程の初期ときに、本体ケース１９は通しシャフト２５との摩擦力により反時計方向に回動しながら印字装置Ｐ側に復帰するので、ローラ３４が規制ガイド３５の端部３５ａで支えられ、ローラ３４が規制ガイド３５の底部に達するとその状態をセンサが検出するので、その検出信号を基にモータ３２への通電を遮断することで、オートシートフィーダ１８を給紙位置で静止させることができる。
【００２５】
なお、スプロケットホイール３０を駆動する駆動手段は、モータ３２を用いずに手動により回転させるように構成することも可能である。また、オートシートフィーダ１８を手動により回動させる構成してもよい。
【００２６】
次に、請求項２記載の発明の一実施の形態を図６ないし図９に基づいて説明する。前実施の形態と同一部分については同一符号を用い説明も省略する。印字装置Ｐの構成は前実施の形態の場合と同様であるので、オートシートフィーダ１８を給紙位置からトラクタ１７（図１参照）の上面を開放する後方位置に向けて後退自在に支持する支持手段３８の構成についてのみ説明する。
【００２７】
印字装置Ｐの後部両側には相対向する支持体３９が固定され、これらの支持体３９は連結部材３９ａにより連結されている。オートシートフィーダ１８の本体ケース１９の両側に固定されたブラケット４０には、給紙方向と直交する通しシャフト４１が固定され、この通しシャフト４１の両端部には、回転輪であるギヤ４２が固定的に嵌合されている。これらのギヤ４２は異形軸４３と一体に形成されている。異形軸４３は円筒部４３ａの一部に切欠部４３ｂを形成した断面形状をもつ。
【００２８】
支持体３９には、異形軸４３の切欠部４３ｂを摺動自在に案内する長孔部４４ａとこの長孔部４４ａの後端から拡開されて異形軸４３の回動運動を許容する拡開円孔部４４ｂとを有するガイド溝４４が形成されている。長孔部４４ａの幅は異形軸４３の切欠部４３ｂの対辺距離より僅かに大きい寸法に定められ、拡開円孔部４４ｂの半径は異形軸４３の円筒部４３ａの半径より僅かに大きな寸法に定められている。また、支持体３９には、ギヤ４２に噛合される歯（図示せず）がラック状に形成された可動部材４５をガイド溝４４に沿う直線方向に沿って摺動自在に案内するレール４６が形成されている。
【００２９】
そして、可動部材４５に直線方向の駆動力を付与する駆動手段４７が支持体３９に設けられている。この駆動手段４７は、支持体３９に支軸４８により回動自在に保持された操作レバー４９と、この操作レバー４９に一体に形成された扇形ギヤ５０に噛合されて支軸５１と一体に回転する伝動ギヤ５２と、この伝動ギヤ５２に噛合された扇形ギヤ５３を有して支軸５４を中心に回転するレバー５５と、このレバー５５と可動部材４５とを連結するリンク５６とにより形成されている。なお、操作レバー４９は一方の支持体３９にのみ設けられているが、左右の支持体３９に設けた伝動ギヤ５２を支軸５１によって同軸上で連結することにより、一つの操作レバー４９で左右で対をなす伝動ギヤ５２を回転させることができる。また、左右の支持体３９には、レバー５５の回動範囲を規制するストッパ５７と、オートシートフィーダ１８の本体ケース１９の両側面に回転自在に設けたローラ５８に当接してオートシートフィーダ１８の給紙位置を定めるＵ字形の位置決めガイド５９とが設けられている。
【００３０】
このような構成において、図６に示すように、オートシートフィーダ１８が給紙位置に位置する状態で、操作レバー４９を印字装置Ｐ側（図２において矢印Ｆ方向）に倒すと、図７に示すようにレバー５５が反時計方向に回動してリンク５６を押すため、可動部材４５がリンク５６に押されて拡開円孔部４４ｂ側に移動する。このとき、異形軸４３の切欠部４３ｂがガイド溝４４の長孔部４４ａにより回り止めされて移動する過程ではギヤ４２及び通しシャフト４１は回転しない。したがって、通しシャフト４１が固定されているオートシートフィーダ１８は印字装置Ｐの後方となる直線方向に後退する。この後退動作の終期では、ローラ５８がストッパ５７から外れ、異形軸４３が拡開円孔部４４ｂに達すると、拡開円孔部４４ｂでの異形軸４３の回動運動が許容されるため、なおも後方に押される可動部材４５に噛合されたギヤ４２が異形軸４３及び通しシャフト４１とともに時計方向に回動する。したがって、通しシャフト４１が回り止めされているオートシートフィーダ１８も時計方向に回動する。したがって、トラクタ１７の上方空間を広く開放することができ、トラクタ１７への連続紙の補給を容易にすることができる。
【００３１】
トラクタ１７への連続紙の補給を終了し、図７に示す状態から操作レバー４９を後方（図７において矢印Ｒ方向）に回動すると、レバー５５が時計方向に回動し、リンク５６を介して可動部材４５を前方に引く。この可動部材４５が前方へ移動する初期の過程では、異形軸４３が拡開円孔部４４ｂに位置するため、ギヤ４２が異形軸４３及び通しシャフト４１とともに反時計方向に回動する。これにより、オートシートフィーダ１８が反時計方向に回動する。この回動によりオートシートフィーダ１８のローラ５８は支持体３９のストッパ５９の後端部５９ａに達する。この時点では、切欠部４３ｂがガイド溝４４の長孔部４４ａの面と一致するので、可動部材４５からギヤ４２に作用する力により異形軸４３がギヤ４２及びオートシートフィーダ１８とともに長孔部４４ａに沿って前方に移動し、ローラ５８がＵ字形のストッパ５９の底部に当接した給紙位置でオートシートフィーダ１８が停止する。
【００３２】
なお、可動部材４５に直線方向の駆動力を付与する駆動手段４７は、オペレータの操作により回動する操作レバー４９の駆動力を可動部材４５に伝達するように構成したが、モータ等を駆動源としてもよい。
【００３３】
【発明の効果】
請求項１記載の発明は、プリンタ本体に付属するオートシードフィーダと、前記オートシードフィーダの両側に垂直面内で回動自在に支持された走行体と、前記プリンタ本体に対して固定的に設けられ前記プリンタ本体の一面から離反する直線方向に前記走行体を往復動自在に支持する支持体と、前記オートシードフィーダの前記支持体と対向する側面に回転自在に支持されたスプロケット又はギヤ等の回転輪と、この回転輪に正転及び逆転方向の回転力を付与する駆動手段と、前記プリンタ本体の一面から離反する直線方向に延出されて前記支持体に設けられ前記回転輪に噛合されたラック部と、前記回転輪が前記ラック部の前記プリンタ本体側の端部側の所定範囲内で噛合する動作期間内に限り前記回転輪を中心とする前記オートシードフィーダの回動運動を規制する規制ガイドとを具備するので、回転輪を一方向に回転させてラック部上を転動させることにより、オートシードフィーダをプリンタ本体の一面から直線方向に離反する離反位置に変位させることができ、この変位の過程で、回転輪がラック部のプリンタ本体側の端部側の所定範囲内で噛合する動作期間を過ぎたときに、オートシードフィーダを規制ガイドから解放して回転輪を中心に回動させることができる。回転輪を他方向に回転させた場合には、オートシードフィーダをプリンタ本体に向けて変位させ、この変位の過程で規制ガイドに拘束されるまでの間では回転輪を中心としてオートシードフィーダを逆方向に回動させ、オートシードフィーダをプリンタ本体の一面に復帰させた状態では、オートシードフィーダを規制ガイドにより回動方向の動きを規制して定位置で固定することができる。したがって、狭い空間でオートシードフィーダをプリンタ本体に対して接離させることができる。
【００３４】
請求項２記載の発明は、プリンタ本体に付属するオートシードフィーダと、前記プリンタ本体に対して固定的に設けられ前記オートシードフィーダの両側に対向配置された支持体と、前記オートシードフィーダの前記支持体と対向する側面に固定的に支持されたスプロケット又はギヤ等の回転輪と、円筒部の一部に切欠部が形成されて前記回転輪と同軸上で一体に回動可能な異形軸と、前記支持体に形成されて前記異形軸の回転運動を阻止した状態で前記オートシードフィーダを前記プリンタ本体の一面から離反する直線方向に移動可能なように前記異形軸を直線方向に摺動可能に支持する長孔部と前記プリンタ本体から離反する方向における前記長孔部の後端から拡開されて前記異形軸の回動運動を許容する拡開円孔部とを有するガイド溝と、前記支持体の前記ガイド溝に沿う直線方向に往復動自在に設けられて前記回転輪に噛合されたラック状の可動部材と、前記可動部材に直線方向の駆動力を付与する駆動手段とを具備するので、可動部材を一方向に駆動する駆動力は回転輪に作用するが、異形軸がガイド溝の長孔部に回り止めされている期間では、オートシードフィーダを異形軸及び回転輪とともにプリンタ本体の一面から直線方向に離反させることができ、この変位の過程で異形軸がガイド溝の拡開円孔部に達したときに、オートシードフィーダを異形軸及び回転輪とともに一方向に回動させることができる。可動部材を他方向に駆動したときは、オートシードフィーダを異形軸及び回転輪とともに他方向に回動させ、異形軸の回動により切欠部の向きが長孔部の面に一致したときに、可動部材から回転輪に作用する力により異形軸を長孔により回転運動を阻止した状態で、オートシードフィーダを異形軸及び回転輪とともにプリンタ本体の一面に向けて直線方向に変位させることができる。したがって、狭い空間でユニットをプリンタ本体に対して接離させることができる。
【図面の簡単な説明】
【図１】  請求項１記載の発明の一実施の形態におけるプリンタ本体及びオートシードフィーダの概略構成を示す縦断側面図である。
【図２】  オートシードフィーダを構造体の一面に位置させて固定した状態を示す縦断側面図である。
【図３】  オートシードフィーダを途中まで後退させた状態を示す縦断側面図である。
【図４】  オートシードフィーダをプリンタ本体から離反させた状態を示す縦断側面図である。
【図５】  一方の支持体におけるオートシードフィーダの支軸構造を示す縦断正面図である。
【図６】  請求項２記載の発明の一実施の形態を示すもので、オートシードフィーダをプリンタ本体の一面に位置させて固定した状態を示す縦断側面図である。
【図７】  オートシードフィーダをプリンタ本体から離反させた状態を示す縦断側面図である。
【図８】  図７におけるＡ−Ａ線部で断面にして一方の支持体におけるオートシードフィーダの支持構造を示す縦断正面図である。
【図９】  図７におけるＢ−Ｂ線部で断面にして一方の支持体に設けた駆動手段の構成を示す水平断面図である。
【符号の説明】
Ｐ  プリンタ本体
１６  支持体
１８  オートシードフィーダ
３０  スプロケットホイール、回転輪
３１  ラック部
３９  支持体
４２  ギヤ、回転輪
４３  異形軸
４３ａ  円筒部
４３ｂ  切欠部
４４  ガイド溝
４４ａ  長孔部
４４ｂ  拡開円孔部
【図１】
0003766211.tif 000002
【図２】
0003766211.tif 000003
【図３】
0003766211.tif 000004
【図４】
0003766211.tif 000005
【図５】
0003766211.tif 000006
【図６】
0003766211.tif 000007
【図７】
0003766211.tif 000008
【図８】
0003766211.tif 000009
【図９】
0003766211.tif 000010